(57)【要約】【課題】マイクロ波を加熱室内に照射する為に回転又は回動するアンテナを、種類を間違って取付けた場合に、間違いを検知できる高周波加熱調理器の提供。【解決手段】マイクロ波を加熱室内に照射する為に回転又は回動するアンテナ２０ａと、アンテナ２０ａの回転中心又は回動中心から離隔した位置へ光を放射し、その反射光を受光してアンテナ２０ａの回転又は回動を検出する回転検出器１２とを加熱室の天井部及び床部の少なくとも一方に備え、アンテナ２０ａの回転検出器１２が放射した光の反射面に、この反射面と反射能が異なる１又は複数の領域２２が配置された高周波加熱調理器。回転検出器１２の出力に基づき、反射能が異なる領域２２の個数又は形状が所定個数又は所定形状であるか否かを判定する判定手段と、判定手段が、所定個数又は所定形状でないと判定したときに、その判定内容を表示する手段とを備える構成である。【選択図】図４
2011081969.tif 000002
【特許請求の範囲】
【請求項１】
金属によって形成され、高周波発生装置から供給されたマイクロ波を指向性を有して加熱室内に照射する為に回転又は回動するアンテナと、該アンテナの回転中心又は回動中心から離隔した位置へ光を放射する発光部、及び該発光部が放射した光の反射光を受光して出力する受光部を有し、前記アンテナの回転又は回動を検出する回転検出器とを加熱室の天井部及び床部の少なくとも一方に備え、前記アンテナの前記光の反射面に、該反射面と反射能が異なる１又は複数の領域が配置された高周波加熱調理器において、
前記受光部の出力に基づき、前記領域の個数又は形状が所定個数又は所定形状であるか否かを判定する判定手段と、該判定手段が、個数又は形状が所定個数又は所定形状でないと判定したときに、判定内容を表示する手段とを備えることを特徴とする高周波加熱調理器。
【請求項２】
被加熱物を加熱調理する際には、前記判定手段が判定することを禁止するように構成されている請求項１記載の高周波加熱調理器。
【請求項３】
前記判定手段は、前記受光部の出力に基づき、前記アンテナが１回転又は所定角度回動する期間当たりの前記領域の個数を計数する手段を有し、該手段が計数した個数に基づき判定するように構成してある請求項１又は２記載の高周波加熱調理器。
【請求項４】
前記判定手段は、前記受光部の出力に基づき、前記アンテナが１回転又は所定角度回動する期間当たりの前記領域を通過する時間を計時する手段を有し、該手段が計時した時間に基づき判定するように構成してある請求項１又は２記載の高周波加熱調理器。
【発明の詳細な説明】
【技術分野】
【０００１】
本発明は、高周波発生装置から供給されたマイクロ波を指向性を有して加熱室内に照射する為に回転又は回動するアンテナと、アンテナへ光を放射し、その反射光を受光して、アンテナの回転又は回動を検出する回転検出器とを備えた高周波加熱調理器（電子レンジ）に関するものである。
【背景技術】
【０００２】
電子レンジでは、高周波発生装置（マグネトロン）から供給されたマイクロ波を導波管で加熱室の天井部へ導き放射している。しかし、それだけでは、マイクロ波を加熱室内に均一に放射できず、被加熱物が均等に加熱されないので、加熱室内へのマイクロ波の放射を均一にする為に、指向性を有するアンテナ（スターラファン）を導波管の出口付近に設けて回転させている。アンテナは、例えば円板状でマイクロ波が通過する孔が１又は複数設けてあり、これが回転することにより、加熱室内へのマイクロ波の放射を均一にする。
【０００３】
また、導波管の出口付近にアンテナを設け、加熱室内へのマイクロ波の放射を均一にするのではなく、被加熱物を集中的に加熱する為に、回転速度を変化させるか、あるいは、所定角度範囲を回動するものが存在する。
このように設けられたアンテナが、仕様通りに回転又は回動していることを確認する為に、アンテナへ光を放射する発光部と、発光部が放射した光の反射光を受光する受光部とを有する回転検出器が設けてある。
【０００４】
業務用の電子レンジでは、加熱能力を高める為に、加熱室の天井部及び床部に上記のマグネトロン、導波管、アンテナ及び回転検出器をそれぞれ設けてある。アンテナは、天井部及び床部でその形状が異なっている。また、天井部にのみマグネトロン、導波管、アンテナ及び回転検出器を設けてある機種においても、仕向け地毎にアンテナの形状が異なることがある。
【０００５】
特許文献１には、スターラファンの回転を発電機、受光素子、電界センサ等により検出し、運転中にスターラファンが停止した場合は、制御装置により運転を停止する電子レンジが開示されている。
【先行技術文献】
【特許文献】
【０００６】
【特許文献１】特開平０６−２０３９５１号公報
【発明の概要】
【発明が解決しようとする課題】
【０００７】
上述したような業務用の電子レンジでは、マイクロ波を加熱室内に照射する為に回転又は回動するアンテナは、上述したように、天井部及び床部でそれぞれ形状が異なっているが、取付け構造は同じである為、形状の異なるアンテナを取付けてしまうことがあるという問題がある。また、天井部にのみマグネトロン、導波管、アンテナ及び回転検出器を設けてある機種においては、仕向け地毎にアンテナの形状が異なる場合、異なり方が微妙なことがあり、見た目では間違いなく取付けられているのか判然としないことがあるという問題がある。
【０００８】
本発明は、上述したような事情に鑑みてなされたものであり、マイクロ波を加熱室内に照射する為に回転又は回動するアンテナを、種類を間違って取付けた場合に、その間違いを検知することができる高周波加熱調理器を提供することを目的とする。
【課題を解決するための手段】
【０００９】
本発明に係る高周波加熱調理器は、金属によって形成され、高周波発生装置から供給されたマイクロ波を指向性を有して加熱室内に照射する為に回転又は回動するアンテナと、該アンテナの回転中心又は回動中心から離隔した位置へ光を放射する発光部、及び該発光部が放射した光の反射光を受光して出力する受光部を有し、前記アンテナの回転又は回動を検出する回転検出器とを加熱室の天井部及び床部の少なくとも一方に備え、前記アンテナの前記光の反射面に、該反射面と反射能が異なる１又は複数の領域が配置された高周波加熱調理器において、前記受光部の出力に基づき、前記領域の個数又は形状が所定個数又は所定形状であるか否かを判定する判定手段と、該判定手段が、個数又は形状が所定個数又は所定形状でないと判定したときに、判定内容を表示する手段とを備えることを特徴とする。
【００１０】
この高周波加熱調理器では、加熱室の天井部及び床部の少なくとも一方に備えられ、金属によって形成されたアンテナが、高周波発生装置から供給されたマイクロ波を指向性を有して加熱室内に照射する為に回転又は回動する。アンテナの回転中心又は回動中心から離隔した位置へ光を放射する発光部、及び発光部が放射した光の反射光を受光して出力する受光部を有する回転検出器が、アンテナの回転又は回動を検出する。アンテナの発光部が放射した光の反射面に、この反射面と反射能が異なる１又は複数の領域が配置されている。判定手段が、受光部の出力に基づき、反射能が異なる領域の個数又は形状が所定個数又は所定形状であるか否かを判定し、判定手段が、個数又は形状が所定個数又は所定形状でないと判定したときに、表示する手段がその判定内容を表示する。
【００１１】
本発明に係る高周波加熱調理器は、被加熱物を加熱調理する際には、前記判定手段が判定することを禁止するように構成されていることを特徴とする。
【００１２】
本発明に係る高周波加熱調理器は、前記判定手段は、前記受光部の出力に基づき、前記アンテナが１回転又は所定角度回動する期間当たりの前記領域の個数を計数する手段を有し、該手段が計数した個数に基づき判定するように構成してあることを特徴とする。
【００１３】
この高周波加熱調理器では、判定手段は、計数する手段が、受光部の出力に基づき、アンテナが１回転又は所定角度回動する期間当たりの反射能が異なる領域の個数を計数し、その計数した個数に基づき判定する。
【００１４】
本発明に係る高周波加熱調理器は、前記判定手段は、前記受光部の出力に基づき、前記アンテナが１回転又は所定角度回動する期間当たりの前記領域を通過する時間を計時する手段を有し、該手段が計時した時間に基づき判定するように構成してあることを特徴とする。
【００１５】
この高周波加熱調理器では、判定手段は、計時する手段が、受光部の出力に基づき、アンテナが１回転又は所定角度回動する期間当たりの、反射能が異なる領域を通過する時間を計時し、その計時した時間に基づき判定する。
【発明の効果】
【００１６】
本発明に係る高周波加熱調理器によれば、マイクロ波を加熱室内に照射する為に回転又は回動するアンテナを、種類を間違って取付けた場合に、その間違いを検知することができる高周波加熱調理器を実現することができる。
【図面の簡単な説明】
【００１７】
【図１】本発明に係る高周波加熱調理器（電子レンジ）の実施の形態の外観を示す正面図である。
【図２】本発明に係る電子レンジの要部回路構成例を示すブロック図である。
【図３】レンジ本体の天井部及び床部を模式的に示す側断面図である。
【図４】天井部のアンテナが１回転するときの回転センサの出力例を示す説明図である。
【図５】床部のアンテナが１回転するときの回転センサの出力例を示す説明図である。
【図６】本発明に係る電子レンジの動作の例を示すフローチャートである。
【図７】床部のアンテナが１回転するときの回転センサの出力例を示す説明図である。
【図８】本発明に係る電子レンジの動作の例を示すフローチャートである。
【発明を実施するための形態】
【００１８】
以下に、本発明をその実施の形態を示す図面に基づき説明する。
（実施の形態１）
図１は、本発明に係る高周波加熱調理器（電子レンジ）の実施の形態１の外観を示す正面図である。
この電子レンジは、レンジ本体１が略直方体をなし、前側に開放部を有する加熱室６を収容するキャビネット７を外殻とする。加熱室６の開放部は、レンジ本体１の前部の一側方に蝶着された横開きのドア２により、開閉可能に閉止されている。レンジ本体１の前面の上部は、ドア２の上方を覆うように前方へ突出させてあり、突出させたレンジ本体１の前部及びドア２の下部に、レシピの選択及び加熱の開始等の操作を受付ける為の操作部３、４をそれぞれ備えている。
【００１９】
操作部３，４は、予め記憶されたレシピの選択を受付ける為の「０」乃至「９」のキーからなる数字キー３１，４１と、数字キー３１，４１により選択される数値に対応付けられたレシピについて、加熱の開始及び停止をそれぞれ受付ける為の開始キー３２，４２及び停止／クリアキー３６，４６と、各キーより受付けた内容、加熱の残り時間及び各部の故障等の情報を表示する表示器５とを備えている。
操作部３は、また、数値に対応付けられたレシピを設定して記憶する場合、設定されたレシピの記憶を受付ける為の設定記憶キー３３と、設定中のレシピについて調理時間の設定を受付ける為の時間設定キー３４と、設定中のレシピについて加熱出力の設定を受付ける為の出力設定キー３５とを備えている。
【００２０】
図２は、本発明に係る電子レンジの要部回路構成例を示すブロック図である。
この電子レンジは、単相の交流電源に接続される電源プラグ５１の一方の端子が、電子レンジの回路電流の異常時に溶断するメインヒューズ５２、及び加熱室６内の温度の異常時（例えば加熱室６内部での発火時）に溶断する温度ヒューズ５３を通じて、直流電源５４の一方の端子、及びドア２の開放時から加熱終了時までオンされるプライマリーインターロックリレー接点５７ａの一方の端子に接続されている。
【００２１】
プライマリーインターロックリレー接点５７ａの他方の端子は、加熱室６の内部を照明する為のオーブンランプ５８と、マグネトロン８ａ，８ｂから供給され、図示しない導波管によりそれぞれ伝送されたマイクロ波を加熱室６内に放射するアンテナ２０ａ，２０ｂ（図３）（スターラファン）を回転させる為のアンテナモータ５９ａ，５９ｂとを通じて、直流電源５４の他方の端子、電源プラグ５１の他方の端子、及びドア２の開放時にオフするセカンダリーインターロックスイッチ５６の一方の端子に接続されている。アンテナモータ５９ａ，５９ｂは、加熱室６の天井部、床部にそれぞれ設けられている。
【００２２】
プライマリーインターロックリレー接点５７ａの他方の端子は、また、ドア２の開放時にオフするモニタスイッチ６０の一方の端子、及びマグネトロン８ａ，８ｂの各出力をオン／オフする為の加熱リレー接点６１ａ，６１ａの各一方の端子に接続されている。モニタスイッチ６０の他方の端子は、セカンダリーインターロックスイッチ５６の他方の端子、及び高圧トランス９，９の一次側の各一方の端子に接続されている。
【００２３】
加熱リレー接点６１ａ，６１ａの各他方の端子は、それぞれマグネトロン８ａ，８ｂの温度の異常時（例えば冷却異常時又は無負荷運転による高温時）に溶断する温度ヒューズ６２，６２を通じて高圧トランス９，９の一次側の各他方の端子に接続されている。
高圧トランス９，９の各二次側には、それぞれ倍電圧整流の為のコンデンサ１０，１０とダイオード８１，８１とが直列に接続されており、倍電圧に整流されたダイオード８１，８１の両端電圧が、それぞれマグネトロン８ａ，８ｂに与えられるようになっている。マグネトロン８ａ，８ｂには、また、高圧トランス９，９の他の二次側からそれぞれヒータ用の電圧が印加されるようになっている。
【００２４】
直流電源５４の出力電圧（５Ｖ及びＧＮＤ）は、ＣＰＵ７１を有するマイクロコンピュータ７０からなる制御部１６に与えられる。マイクロコンピュータ７０は、プログラム等の情報を記憶するＲＯＭ７２、一部が不揮発性メモリで構成されプログラムの実行中に発生した情報を記憶するＲＡＭ７３、時間を計時するタイマを複数備えるタイマ部７４、及び入出力回路（図示せず）をＣＰＵ７１とバス接続して構成してある。ＣＰＵ７１は、ＲＯＭ７２に予め格納されている制御プログラムに従って、演算及び入出力等の処理を実行する。
【００２５】
マイクロコンピュータ７０の入出力回路には、インターロックリレー駆動回路５７ｂ、加熱リレー駆動回路６３，６３、ドアスイッチ２ｃ、及び操作部３，４が接続されており、表示器５とは操作部３を介して接続されている。マイクロコンピュータ７０の入出力回路には、また、ファンモータ１１，１１及び排気モータ１５ｂをそれぞれ駆動するファンモータ駆動回路７５，７５及び排気モータ駆動回路７６と、アンテナ２０ａ，２０ｂ（図３）の回転を検出する回転センサ（回転検出器）１２，１３のインタフェース７７，７８とが接続されている。
【００２６】
図３は、レンジ本体１の天井部及び床部を模式的に示す側断面図である。
天井部のアンテナ２０ａは、図４（ａ）に示すように、円板形状であり、オーブン壁７ａで囲まれた加熱室６の天井面に平行に取付けられている。アンテナ２０ａは、アンテナホルダ２７を介してアンテナシャフト２４に連結され、アンテナシャフト２４は図示しないアンテナモータ５９ａ（図２）に連結されている。アンテナ２０ａを回転させるアンテナモータ５９ａは、加熱室６の天井裏でレンジ本体１側に固定して設けられている。
アンテナ２０ａと加熱室６とは、アンテナ２０ａ及び天井面を全面的に覆い天井面に平行なカバー２５により仕切られている。カバー２５はセラミック製又はガラス製である。
【００２７】
マグネトロン８ａ（図２）から供給されたマイクロ波は、図示しない導波管で加熱室の天井裏迄伝送され、導波管の出口に設けてある指向性を有するアンテナ２０ａが回転することにより、加熱室６内へ均一に照射される。
アンテナ２０ａの導波管側の面には、図４（ａ）に示すように、同一円周上に並ぶように、マイクロ波及び回転センサ１２の光を通過させる３つの円形のスリット（孔）２１、１つの細長のスリット２１ａ、並びに回転センサ１２の光を吸収する４つの方形の塗装部２２が交互に形成されている。塗装部２２は、黒色で塗装され艶消しされているのが望ましい。
【００２８】
また、加熱室６の天井裏には、アンテナ２０ａの導波管側の面に向けて指向性を有する光を放射し、アンテナ２０ａの直視面である金属面及びカバー２５の直視面に光輝点を生成させる回転センサ１２の発光素子（発光部）１２ａと、光輝点からの反射光を受光する受光素子（受光部）１２ｂとが、レンジ本体１側に固定して設けられている。スリット２１，２１ａ、塗装部２２、発光素子１２ａ及び受光素子１２ｂは、水平方向の各位置が、アンテナ２０ａの導波管側の面に仮想された破線２３の円周上に並ぶようにそれぞれ設けられている。
【００２９】
一方、床部のアンテナ２０ｂも、図５（ａ）に示すように、円板形状であり、オーブン壁７ａで囲まれた加熱室６の床面に平行に取付けられている。アンテナ２０ｂは、アンテナホルダ２７を介してアンテナシャフト２４に連結され、アンテナシャフト２４は図示しないアンテナモータ５９ｂ（図２）に連結されている。アンテナ２０ｂを回転させるアンテナモータ５９ｂは、加熱室６の床下でレンジ本体１側に固定して設けられている。
尚、アンテナ２０ａ，２０ｂの回転速度は、例えば１０〜１２回／分程度である。
アンテナ２０ｂと加熱室６とは、アンテナ２０ｂ及び床面を全面的に覆い床面に平行なセラミックトレイ２６により仕切られている。セラミックトレイ２６は、トレイパッキン２８によりオーブン壁７ａに固定されている。
【００３０】
マグネトロン８ｂ（図２）から供給されたマイクロ波は、図示しない導波管で加熱室の床下迄伝送され、導波管の出口に設けてある指向性を有するアンテナ２０ｂが回転することにより、加熱室６内へ均一に照射される。
アンテナ２０ｂの導波管側の面には、図５（ａ）に示すように、同一円周上に並ぶように、マイクロ波及び回転センサ１３の光を通過させる２つの円形のスリット（孔）２１、１つの細長のスリット２１ａ、並びに回転センサ１３の光を吸収する３つの方形の塗装部２２が交互に形成されている。
【００３１】
また、加熱室６の床下には、アンテナ２０ｂの導波管側の面に向けて指向性を有する光を放射し、アンテナ２０ｂの直視面である金属面及びセラミックトレイ２６の直視面に光輝点を生成させる回転センサ１３の発光素子（発光部）１３ａと、光輝点からの反射光を受光する受光素子（受光部）１３ｂとが、レンジ本体１側に固定して設けられている。スリット２１，２１ａ、塗装部２２、発光素子１３ａ及び受光素子１３ｂは、水平方向の各位置が、アンテナ２０ｂの導波管側の面に仮想された破線２３の円周上に並ぶようにそれぞれ設けられている。
尚、アンテナ２０ａ，２０ｂは円板状でなくても良く、スリット２１，２１ａも周縁部まで切欠きされた間隙であっても良く、更には、短冊状のアンテナ、あるいは、板状でなく立体形状のアンテナであっても良い。
【００３２】
図４は、天井部のアンテナ２０ａが１回転するときの回転センサ１２の出力例を示す説明図である。
ここでは、図４（ａ）に示すように、アンテナ２０ａの１回転を、回転センサ１２が細長のスリット２１ａの中点に相当する位置に対向している時点から開始する。
回転センサ１２がスリット２１，２１ａに対向している期間ｃでは、発光素子１２ａが放射した光は、スリット２１，２１ａを通過して、カバー２５で反射され、その反射光は、スリット２１，２１ａを通過して受光素子１２ｂで受光され、受光素子１２ｂは、Ｈレベルの信号を出力する。
【００３３】
回転センサ１２がアンテナ２０ａの金属面に対向している期間ｂでは、発光素子１２ａが放射した光は、アンテナ２０ａの金属面で反射され、その反射光は受光素子１２ｂで受光され、受光素子１２ｂは、期間ｃと略同レベルのＨレベルの信号を出力する。
回転センサ１２が塗装部２２に対向している期間ａでは、発光素子１２ａが放射した光は、塗装部２２で大半が吸収され、その小さい反射光は受光素子１２ｂで受光され、受光素子１２ｂは、Ｌレベルの信号を出力する。
【００３４】
以上の結果、アンテナ２０ａが１回転する間に、受光素子１２ｂが出力する信号は、図４（ｂ）に示すように、Ｌレベルの期間が４回現れ、アンテナ２０ａの塗装部２２が４つであることを示している。従って、工場での組込み時又は製品チェック時等に、アンテナ２０ａが１回転する間に、受光素子１２ｂが出力する信号がＬレベルになる期間の回数を計数することにより、天井部に取付けられたアンテナが、仕様通りのアンテナ２０ａであるか否かを確認することができる。
【００３５】
一方、床部のアンテナ２０ｂが１回転するときの回転センサ１３の出力例は、図５に示される。
ここでも、図５（ａ）に示すように、アンテナ２０ｂの１回転を、回転センサ１３が細長のスリット２１ａの中点に相当する位置に対向している時点から開始する。
回転センサ１３がスリット２１，２１ａに対向している期間ｃ、回転センサ１３がアンテナ２０ａの金属面に対向している期間ｂ、及び回転センサ１３が塗装部２２に対向している期間ａに、受光素子１３ｂがそれぞれ出力する信号は、図４（ｂ）の場合と同様であり、図５（ｂ）に示すようになる。
【００３６】
図５（ｂ）によれば、アンテナ２０ｂが１回転する間に、受光素子１３ｂが出力する信号は、Ｌレベルの期間が３回現れ、アンテナ２０ｂの塗装部２２が３つであることを示している。従って、従って、工場での組込み時又は製品チェック時等に、アンテナ２０ｂが１回転する間に、受光素子１３ｂが出力する信号がＬレベルになる期間の回数を計数することにより、床部に取付けられたアンテナが、仕様通りのアンテナ２０ｂであるか否かを確認することができる。尚、この場合、天井部と床部とで、アンテナの塗装部２２の個数を相違させておく必要がある。また、仕様通りのアンテナであるか否かの確認は、通常の加熱調理では、必要でなく、アンテナにものが付着して誤検知する虞があるので、実行しない。
【００３７】
以下に、このような構成の電子レンジの動作の例を、それを示す図６のフローチャートを参照しながら説明する。尚、天井部のアンテナ２０ａ及び床部のアンテナ２０ｂの何れにおいても動作は同様であるので、天井部のアンテナ２０ａについて説明する。
マイクロコンピュータ７０（以下、マイコン７０と記載）は、工場での製品チェックの際に、チェック用の仮の加熱運転を開始し、アンテナ２０ａの回転を開始し、発光素子１２ａ及び受光素子１２ｂの駆動を開始する（Ｓ１）。次いで、受光素子１２ｂの出力信号Ｐを読込み（Ｓ３）、出力信号ＰはＨレベルであるか否かを判定する（Ｓ５）。出力信号ＰがＨレベルになることにより、出力信号ＰのＬレベルの回数を計数する動作がリセットされる。
【００３８】
マイコン７０は、出力信号ＰがＨレベルになる迄（Ｓ５）、受光素子１２ｂの出力信号Ｐを読込み（Ｓ３）、出力信号ＰがＨレベルになると（Ｓ５）、タイマ部７４で加熱時間の計時を開始し（Ｓ７）、アンテナ２０ａが１回転（３６０°）するのに要する時間Ｔ１の計時をタイマ部７４で開始する（Ｓ９）。
マイコン７０は、次に、読込んだ受光素子１２ｂの出力信号Ｐが、ＨレベルからＬレベルに変化する回数ＣＬの計数を開始し（Ｓ１１）、時間Ｔ１の計時が終了する迄（Ｓ１３）、変化する回数ＣＬを計数する。
【００３９】
マイコン７０は、時間Ｔ１の計時が終了すると（Ｓ１３）、タイマ部７４で時間Ｔ１の計時をリセットし（Ｓ１５）、変化する回数ＣＬの計数を終了する（Ｓ１７）。
マイコン７０は、次に、計数した変化する回数ＣＬが、所定回数Ｃ１と一致しているか否かを判定し（Ｓ１９）、一致していれば、加熱時間の計時が終了しているか否かを判定する（Ｓ２１）。尚、所定回数Ｃ１は、ここでは、アンテナ２０ａの塗装部２２の個数（＝４）である。
【００４０】
マイコン７０は、加熱時間の計時が終了していなければ（Ｓ２１）、再度、アンテナ２０ａが１回転（３６０°）するのに要する時間Ｔ１の計時をタイマ部７４で開始する（Ｓ９）。
マイコン７０は、加熱時間の計時が終了していれば（Ｓ２１）、タイマ部７４で加熱時間の計時をリセットした（Ｓ２３）後、仮の加熱を終了する（Ｓ２５）。
マイコン７０は、計数した変化する回数ＣＬが、所定回数Ｃ１と一致していなければ（Ｓ１９）、アンテナの取付け間違いを検知し、表示器５にアンテナの取付け間違いを示すエラー表示を行なう（Ｓ２７）。次に、タイマ部７４で加熱時間の計時をリセットして（Ｓ２３）、仮の加熱を終了する（Ｓ２５）。
【００４１】
尚、本実施の形態１では、加熱室の天井部及び床部にそれぞれアンテナを備える電子レンジについて説明したが、加熱室の天井部又は床部にのみアンテナを備える電子レンジにおいても、同様にアンテナの取付け間違いを検知できるのは言うまでもない。
また、本実施の形態１では、アンテナ２０ａが１回転する時間Ｔ１当たりの塗装部２２の個数を計数し、計数した個数に基づき判定しているが、アンテナが所定角度回動する電子レンジの場合においても、アンテナが所定角度回動する時間当たりの塗装部２２を計数することにより、同様に判定することは可能である。
【００４２】
（実施の形態２）
図７は、本発明に係る電子レンジの実施の形態２の床部のアンテナが１回転するときの回転センサの出力例を示す説明図である。
ここでは、図７（ａ）に示すように、この床部のアンテナ２０ｃの１回転を、回転センサ１３が細長のスリット２１ａの中点に相当する位置に対向している時点から開始する。
回転センサ１３がスリット２１，２１ａに対向している期間ｃ、回転センサ１３がアンテナ２０ｃの金属面に対向している期間ｂ、及び回転センサ１３が塗装部２２に対向している期間ａに、受光素子１３ｂがそれぞれ出力する信号は、図４（ｂ）の場合と同様であり、図７（ｂ）に示すようになる。
【００４３】
図７（ｂ）によれば、アンテナ２０ｃが１回転する間に、受光素子１３ｂが出力する信号は、Ｌレベルの期間が３回現れ、その内の１回は他の約５倍長くなっており、アンテナ２０ｃの塗装部２２が３つであり、その内の１つは他より円周方向に５倍長いことを示している。ここで、アンテナ２０ｃの回転速度は一定であるとして良いから、Ｌレベルの期間の合計の長さは、アンテナ２０ｃの塗装部２２の形状に対応した長さになる。
【００４４】
従って、工場での組込み時又は製品チェック時等に、アンテナ２０ｃが１回転する間に、受光素子１３ｂが出力する信号がＬレベルになる期間の合計の長さを計時することにより、床部に取付けられたアンテナが、仕様通りのアンテナ２０ｃであるか否かを確認することができる。尚、この場合、天井部と床部とで、アンテナの塗装部２２の形状を相違させておく必要がある。また、仕様通りのアンテナであるか否かの確認は、通常の加熱調理では、必要でなく、アンテナにものが付着して誤検知する虞があるので、実行しない。
【００４５】
この電子レンジの天井部のアンテナは、実施の形態１で説明したアンテナ２０ａ（図４）と同一であるが、回転センサ１２は、受光素子１２ｂが出力する信号がＬレベルになる期間の合計の長さを計時する。マイコン７０は、この計時した時間に基づき、天井部に取付けられたアンテナが、仕様通りのアンテナ２０ａであるか否かを判定する。この電子レンジのその他の構成は、実施の形態１で説明した電子レンジの構成と同一であるので、説明を省略する。
【００４６】
以下に、このような構成の電子レンジの動作の例を、それを示す図８のフローチャートを参照しながら説明する。尚、天井部のアンテナ２０ａ及び床部のアンテナ２０ｃの何れにおいても動作は同様であるので、床部のアンテナ２０ｃについて説明する。
マイコン７０は、工場での製品チェックの際に、チェック用の仮の加熱運転を開始し、アンテナ２０ｃの回転を開始し、発光素子１３ａ及び受光素子１３ｂの駆動を開始する（Ｓ３１）。次いで、受光素子１３ｂの出力信号Ｐを読込み（Ｓ３３）、出力信号ＰはＨレベルであるか否かを判定する（Ｓ３５）。出力信号ＰがＨレベルになることにより、出力信号ＰのＬレベルの期間を計時する動作がリセットされる。
【００４７】
マイコン７０は、出力信号ＰがＨレベルになる迄（Ｓ３５）、受光素子１３ｂの出力信号Ｐを読込み（Ｓ３３）、出力信号ＰがＨレベルになると（Ｓ３５）、タイマ部７４で加熱時間の計時を開始し（Ｓ３７）、アンテナ２０ｃが１回転（３６０°）するのに要する時間Ｔ１の計時をタイマ部７４で開始する（Ｓ３９）。
マイコン７０は、次に、読込んだ受光素子１３ｂの出力信号Ｐが、Ｌレベルである期間ＴＬの計時を開始し（Ｓ４１）、時間Ｔ１の計時が終了する迄（Ｓ４３）、Ｌレベルである期間ＴＬを計時する。
【００４８】
マイコン７０は、時間Ｔ１の計時が終了すると（Ｓ４３）、タイマ部７４で時間Ｔ１の計時をリセットし（Ｓ４５）、Ｌレベルである期間ＴＬの計時を終了する（Ｓ４７）。
マイコン７０は、次に、計時したＬレベルである期間ＴＬが、所定時間ＴＬ１と一致しているか否かを判定し（Ｓ４９）、一致していれば、加熱時間の計時が終了しているか否かを判定する（Ｓ５１）。尚、所定時間ＴＬ１は、ここでは、アンテナ２０ｃの塗装部２２の円周方向の長さの合計と、アンテナ２０ｃの回転速度とに基づき定められた時間である。
【００４９】
マイコン７０は、加熱時間の計時が終了していなければ（Ｓ５１）、再度、アンテナ２０ｃが１回転（３６０°）するのに要する時間Ｔ１の計時をタイマ部７４で開始する（Ｓ３９）。
マイコン７０は、加熱時間の計時が終了していれば（Ｓ５１）、タイマ部７４で加熱時間の計時をリセットした（Ｓ５３）後、仮の加熱を終了する（Ｓ５５）。
マイコン７０は、計時したＬレベルである期間ＴＬが、所定時間ＴＬ１と一致していなければ（Ｓ４９）、アンテナの取付け間違いを検知し、表示器５にアンテナの取付け間違いを示すエラー表示を行なう（Ｓ５７）。次に、タイマ部７４で加熱時間の計時をリセットして（Ｓ５３）、仮の加熱を終了する（Ｓ５５）。
【００５０】
尚、本実施の形態２では、加熱室の天井部及び床部にそれぞれアンテナを備える電子レンジについて説明したが、加熱室の天井部又は床部にのみアンテナを備える電子レンジにおいても、同様にアンテナの取付け間違いを検知できるのは言うまでもない。
また、本実施の形態２では、アンテナ２０ｃが１回転する時間Ｔ１当たりの塗装部２２が通過する時間を計時し、計時した時間に基づき判定しているが、アンテナが所定角度回動する電子レンジの場合においても、アンテナが所定角度回動する時間当たりの塗装部２２が通過する時間を計時することにより、同様に判定することは可能である。
【符号の説明】
【００５１】
１  （電子）レンジ本体
２  ドア（扉）
３，４  操作部
５  表示器（表示する手段）
６  加熱室
７  キャビネット
８ａ，８ｂ  マグネトロン（高周波発生装置）
１２，１３  回転センサ（回転検出器）
１２ａ，１３ａ  発光素子（発光部）
１２ｂ，１３ｂ  受光素子（受光部）
１６  制御部
２０ａ，２０ｂ，２０ｃ  アンテナ
２１，２１ａ  スリット（孔）
２２  塗装部（領域）
２５  カバー
２６  セラミックトレイ
５９ａ，５９ｂ  アンテナモータ
７０  マイクロコンピュータ（判定手段、計数する手段、計時する手段）
７４  タイマ部
【図１】
2011081969.tif 000003
【図２】
2011081969.tif 000004
【図３】
2011081969.tif 000005
【図４】
2011081969.tif 000006
【図５】
2011081969.tif 000007
【図６】
2011081969.tif 000008
【図７】
2011081969.tif 000009
【図８】
2011081969.tif 000010